(57)【特許請求の範囲】
【請求項１】
容器の開口部に配設され注ぎ口，取り出し口，抽出口などの口部を有する固定部と、上記固定部の口部を覆う可動部と、上記固定部に対して上記可動部を着脱自在に連結する第１ヒンジ部及び第２ヒンジ部と、を備え、
上記口部は上記第１ヒンジ部と上記第２ヒンジ部との間に設けられており、
上記第１ヒンジ部と上記第２ヒンジ部とは、上記固定部に設けられた第１係合部と、上記可動部に設けられ上記第１係合部に着脱自在に連結する第２係合部と、を備え、
上記第２係合部は軸部材を備え、上記第１係合部は上記軸部材を回転自在且つ着脱自在に支持する受け部を備えて、
上記第１ヒンジ部は上記可動部の上記第２ヒンジ部側を持ち上げるよう上記固定部に対して上記可動部を回動させ、
上記第２ヒンジ部は上記可動部の上記第１ヒンジ部側を持ち上げるよう上記固定部に対して上記可動部を回動させる、キャップであって、
上記受け部は、上記固定部の表面から起立した一対の突片と、上記突片に形成され上記軸部材を回転自在に収容する穴部と、上記突片の縁から上記穴部へ形成されたガイド部と、を備え、
上記軸部材が上記ガイド部を通って上記突片外側から上記穴部内へ向かう移動方向が、上記第１ヒンジ部と上記第２ヒンジ部とを結ぶ仮想の線に直交する仮想鉛直線に対して傾斜した方向であることを特徴とする、キャップ。
【請求項２】
前記切り欠き部の幅をＷとし、
前記軸部材の断面の寸法の内、前記可動部が前記固定部の口部を覆った状態での前記移動方向に沿った寸法をＬ１とし、
前記穴部の寸法の内、前記移動方向と前記軸部材の長手方向とに直交する方向に沿った寸法をＬ２とすると、
Ｗ＜Ｌ１、Ｗ＜Ｌ２であることを特徴とする、請求項１に記載のキャップ。
【発明の詳細な説明】
【技術分野】
【０００１】
本発明は、チューブ，ボトル，瓶などの容器の開口部に設けられるキャップに係り、特にヒンジ付きのキャップに関する。
【背景技術】
【０００２】
従来、チューブ，ボトル，瓶などの容器の開口部にはキャップが設けられている。従来のキャップは、容器の開口部に配設される固定部と、この固定部に対してヒンジ部を介して回動可能に取り付けられた可動部とから構成されている。
【０００３】
例えば、固定部は筒状部とこの筒状部の上方の開口を閉塞する天井部とこの天井部に形成された注ぎ口，取り出し口，抽出口などの口部と可動部に係合する係合部とを備え、可動部は固定部の口部を覆う蓋本体部と固定部の係合部に係合する係合部とを備えている。
【０００４】
このようなキャップを備えた容器の使用時、ユーザーは、例えば容器を左手で握りさらに右手で可動部を固定部から外すことで口部を露出させ、この口部から容器内の液や粉などの内容物を出すことができる。
【０００５】
しかし、ユーザーが容器を握った状態でヒンジ部の位置によっては、右手で可動部を固定部から外すことが容易に行えないことがある。この場合、ユーザーは可動部の回動方向が右手で容易に可動部を固定部から外せる向きになるよう容器を回転させてヒンジ部の位置を調整する。
【０００６】
一般的な商品では、商品名が明示された面を容器の前面とし、この面がユーザーに対向する容器の向きで、ユーザーが右手で可動部を容易に外すことができるよう、ヒンジ部の位置が決められている。したがって、容器の後面がユーザーに対向した状態では、容器の前面がユーザー側へ向くようにユーザーは容器を握りなおす必要があった。
【０００７】
この種の蓋の開閉向きの問題を考慮し、容器の向きに拘わらず蓋を容易に開閉できる、容器の開閉蓋の構造が特許文献１，２に開示されている。
【先行技術文献】
【特許文献】
【０００８】
【特許文献１】特開平１０−２５０７７８号公報
【特許文献２】特開平１０−２３８９３７号公報
【発明の概要】
【発明が解決しようとする課題】
【０００９】
特許文献１，２の蓋開閉構造は、容器が保冷箱などの大きな開口を閉塞する蓋に関する技術であり、歯磨き粉を入れるチューブなどの小型の容器の開口部を閉塞するキャップの構造としては、当該チューブ（容器）の開口部及びその周辺領域が保冷箱の大きな開口の領域に比べて小さいため特許文献１，２の大型構造を適用することはできない。
【００１０】
そこで、本発明は、小型の容器でも適用可能で、容器の向きに拘わらず開閉することができる、ヒンジ部付きのキャップを提供することを目的とする。
【課題を解決するための手段】
【００１１】
上記目的を達成するため、本発明のキャップは、容器の開口部に配設され注ぎ口，取り出し口，抽出口などの口部を有する固定部と、上記固定部の口部を覆う可動部と、上記固定部に対して上記可動部を着脱自在に連結する第１ヒンジ部及び第２ヒンジ部と、を備え、上記口部は上記第１ヒンジ部と上記第２ヒンジ部との間に設けられており、上記第１ヒンジ部と上記第２ヒンジ部とは、上記固定部に設けられた第１係合部と、上記可動部に設けられ上記第１係合部に着脱自在に連結する第２係合部と、を備え、上記第２係合部は軸部材を備え、上記第１係合部は上記軸部材を回転自在且つ着脱自在に支持する受け部を備えて、上記第１ヒンジ部は上記可動部の上記第２ヒンジ部側を持ち上げるよう上記固定部に対して上記可動部を回動させ、上記第２ヒンジ部は上記可動部の上記第１ヒンジ部側を持ち上げるよう上記固定部に対して上記可動部を回動させることを特徴としている。
【００１２】
本発明のキャップにおいて、前記受け部は、前記固定部の表面から起立した一対の突片と、該突片に形成され前記軸部材を回転自在に収容する穴部と、上記突片の縁から穴部へ形成されたガイド部と、を備え、前記軸部材が上記ガイド部を通って上記突片外側から上記穴部内へ向かう移動方向が、前記第１ヒンジ部と前記第２ヒンジ部とを結ぶ仮想の線に直交する仮想鉛直線に対して傾斜した方向である。
【００１３】
本発明のキャップは、好ましくは、前記切り欠き部の幅をＷとし、前記軸部材の断面の寸法の内、前記可動部が前記固定部の抽出口を覆った状態での前記移動方向に沿った寸法をＬ１とし、前記穴部の寸法の内、前記移動方向と前記軸部材の長手方向とに直交する方向に沿った寸法をＬ２とすると、Ｗ＜Ｌ１、Ｗ＜Ｌ２である。
【発明の効果】
【００１４】
本発明によれば、容器の向きに拘わらず、可動部を固定部に対してキャップを開閉することができる。また、本発明のキャップは大型の容器にも適用可能である。
【図面の簡単な説明】
【００１５】
【図１】本発明の実施形態に係るキャップの斜視図である。
【図２】本発明の実施形態に係るキャップの正面図である。
【図３】図２のα領域の拡大図である。
【図４】本発明の実施形態に係るキャップの動作を説明するための図である斜視図である。
【図５】図４のβ領域の拡大図である。
【図６】本発明の実施形態に係るキャップの動作を説明するために示す斜視図である。
【図７】本発明の実施形態の変形例に係るキャップの斜視図である。
【図８】本発明の実施形態の変形例に係るキャップの分解斜視図である。
【発明を実施するための形態】
【００１６】
以下、図面に示した実施形態に基づいて本発明を詳細に説明する。
【００１７】
図１は本発明の実施形態に係るキャップ１の斜視図であり、図２はキャップ１の正面図である。図中の矢印Ｆｒはキャップ１の前方、ＬＨはキャップ１の左方、Ｕｐはキャップ１の上方を示す。なお、図中の符号１００はチューブ，ボトル，瓶などの容器であり、チューブであれば長手方向の一端部に開口部が設けられ、ボトル，瓶であれば上部に開口部が設けられている。
【００１８】
先ず、キャップ１の構成について説明する。キャップ１は、固定部２と、可動部３と、第１ヒンジ部４と、第２ヒンジ部５と、を備えている。
【００１９】
固定部２は、図１に示すように、筒状部２１と、筒状部２１の上端を閉塞する天井部２２と、天井部２２の中央に形成された口部２３と、を備えている。なお、以下では、筒状部２１の軸２５（図２参照）を鉛直方向に沿わせた筒状部２１の姿勢を前提として説明する。
【００２０】
本実施形態の筒状部２１は、軸２５を直交する仮想面Ｐ１（図２参照）で切った断面形状を楕円形に形成されている。筒状部２１の上側では、断面形状である楕円の長辺（図１の符号２６の線）方向に沿った両端部が切り欠かれて形成されている。具体的には、図２に示すように、筒状部２１の上縁は中部（後述の図２中の２２Ａの領域）から両端側へいくにつれて低くなるように形成されている。筒状部２１の下縁は、軸２５を直交する面Ｐ１内で楕円を画する開口縁を形成している。
【００２１】
天井部２２は、軸２５を直交する仮想の面Ｐ１に対して平行に広がった中部２２Ａと、この中部２２Ａの両端から外側へ行くにつれて低くなる左右の傾斜部２２Ｂ，２２Ｃと、を備えている。中部２２Ａに口部２３が形成されている。
【００２２】
左右の傾斜部２２Ｂ，２２Ｃは、筒状部２１の上縁の内、中部２２Ａの両縁から筒状部２１の両端部へ向けて次第に低くなる縁によって画される領域（図２中、固定部２の左右各側におけるγ領域）に設けられている。傾斜部２２Ｂ，２２Ｃによって当該γ領域の開口が塞がれている。
【００２３】
このように構成される固定部２は、容器１００の開口部（図示省略）に配設される。
【００２４】
可動部３は、図１に示すように、筒状部３１と、筒状部３１の上端を閉塞する天井部３２と、を備えている。なお、筒状部３１の軸３５を鉛直方向に沿わせた姿勢を前提として以下説明する。可動部３の軸３５は固定部２の軸２５の延長方向に延びている（図２参照）。
【００２５】
可動部３の筒状部３１は、軸３５を直交する仮想面Ｐ２（図２参照）で切った断面形状を楕円形に形成されている。具体的には、可動部３は、固定部２と同じ断面形状に形成されている。
【００２６】
筒状部３１の下側では、断面形状である楕円の長辺（図１の符号２６の線）方向に沿った両端部が切り欠かれて形成されている。具体的には、中部（図２の矢印３３Ａの領域部分）から両端へいくにつれて筒状部の下縁が高くなるように形成されている。筒状部３１の下縁の内、中部３３Ａの両縁から筒状部３１の両端部へ向けて次第に高くなる縁によって画される領域（図２中、可動部３の左右各側におけるδ領域）には、傾斜部３３Ｂ，３３Ｃが設けられている。傾斜部３３Ｂ，３３Ｃによって当該δ領域の開口が塞がれている。
【００２７】
筒状部３１の上縁は、楕円形の輪郭に形成されている。この筒状部３１の上端を塞ぐよう、筒状部３１にはプレート状の天井部３２が設けられている。天井部３２は、筒状部３１の断面より大きく形成されて、筒状部３１の上縁より外側へ突出している。
【００２８】
筒状部３１の下縁は、中部３３Ａにおける前側と後側の円弧状の一対の縁（即ち、筒状部３１の下縁の内、δ領域を除いた部分）と左右の直線状の一対の縁（即ち、前述の傾斜部３３Ｂ，３３Ｃの下縁）とで、たる型の開口を形成している。この四角型の開口の縁を、以下、開口縁と呼ぶ。
【００２９】
このように形成された可動部３を、可動部３の開口から可動部内へ固定部２の口部２３が入り込むよう固定部２の上に載せると、可動部３の開口縁が固定部２の天井部２２の中部２２Ａに当接する。このように可動部３が固定部２に載置された状態で、固定部２の抽出口２３は可動部３の内面から突出した突起部３４が嵌入して閉塞されている（図２参照）。
【００３０】
このように構成される可動部３は、第１ヒンジ部４と第２ヒンジ部５とによって着脱自在に固定部２に連結されている。第１ヒンジ部４と第２ヒンジ部５とは、図１に示すように可動部３を固定部２の上に載せた状態、即ち可動部３の開口縁の全域が固定部２の天井部２２（具体的には天井部２２の中部２２Ａ）に載った状態を開放可能に保持する。
【００３１】
第１ヒンジ部４と第２ヒンジ部５とは、固定部２に設けられた第１係合部と、可動部３に設けられ第１係合部に着脱自在に連結する第２係合部と、を備えている。具体的には、図１及び図２に示すように、第１ヒンジ部４は、固定部２の左側の傾斜部２２Ｂに設けられた第１係合部４１と、可動部３の左側の傾斜部３３Ｂに設けられた第２係合部４２と、から構成されている。第１ヒンジ部４と同様に、第２ヒンジ部５は、固定部２の右側の傾斜部２２Ｃに設けられた第１係合部５１と、可動部３の右側の傾斜部３３Ｃに設けられた第２係合部５２と、から構成されている。
【００３２】
各ヒンジ部の第２係合部４２，５２は、可動部３の傾斜部３３Ｂ，３３Ｃから突出した支持部４２１，５２１と、この支持部４２１，５２１によって可動部３の最下縁（言い換えれば、開口縁）より低い位置で保持される軸部材４２２，５２２と、を備えている。本実施形態の支持部４２１，５２１は、図１に示すように、可動部３の傾斜部３３Ｂ，３３Ｃの面から突出すると共に、輪郭を四角形とし且つ薄肉の突片状に形成されている。軸部材４２２，５２２はこの支持部４２１，５２１の先端部に設けられている。軸部材４２２，５２２は、軸２５，３５と筒状部２１，３１の断面をなす楕円の長辺方向（ＬＨ方向）と直交する方向（Ｆｒ方向）へ軸部材４２２，５２２の長手方向を沿わせている。この軸部材４２２，５２２は支持部４２１，５２１の先端部の幅（Ｆｒ方向に沿った寸法）よりも長いため、図１に示すように、軸部材４２２，５２２の端部が支持部４２１，５２１の先端部より外側へ、即ちキャップ１の前後方向へ突出している。軸部材４２２，５２２の両端部を支持するよう、第１係合部４１，５１が設けられている。
【００３３】
各ヒンジ部の第１係合部４１，５１は、固定部２の傾斜部２２Ｂ，２２Ｃから突出した一対の受け部４１１，４１１，５１１，５１１を備えている。一対の受け部４１１，４１１（５１１，５１１）は、同じ形状に形成されていて、軸２５，３５と筒状部２１，３１の断面をなす楕円の長辺方向（図中のＬＨ方向）と直交する方向（即ち、図中のＦｒ方向）へ距離を置いて並設されている。各受け部４１１，５１１は、固定部２の傾斜部２２Ｂ、２２Ｃから起立した薄肉の突片４１１Ａ，５１１Ａと、この突片４１１Ａ，５１１Ａに形成され軸部材４２２，５２２を回転自在に収容する穴部４１１Ｂ，５１１Ｂと、突片４１１Ａ，５１１Ａの上縁から穴部４１１Ｂ，５１１Ｂへ通ずるよう突片４１１Ａ，５１１Ａを切り欠いたガイド部４１１Ｃ，５１１Ｃと、を備えている。このガイド部４１１Ｃ，５１１Ｃを通って、可動部側の軸部材４２２，５２２は突片外から穴部内へ入れられる。このように構成される一対の受け部４１１，４１１（５１１，５１１）は、各突片４１１Ａ，４１１Ａ（５１１Ａ，５１１Ａ）の面が対向するよう、傾斜部２２Ｂ，２２Ｃに設けられる。抽出口２３は、このように構成される第１ヒンジ部４と第２ヒンジ部５との間に設けられている（図１参照）。
【００３４】
図３は図２のα領域の拡大図である。この図に示すように、軸部材５２２がガイド部５１１Ｃを通って突片外から穴部内へ向かう移動方向Ｍが、鉛直方向（軸２５，３５に相当）に対して角度θで傾斜するよう選定されている。具体的には、右側の第２ヒンジ部５のガイド部５１１Ｃの延出方向はその上側から下側へ行くにつれて、固定部２の口部２３側から端部側（図３の左側）へ傾斜している。例えば、軸部材５２２の移動方向Ｍが鉛直方向からθで傾斜するように、ガイド部５１１Ｃは突片５１１Ａに形成される。角度θが２０度を超えると可動部３の左右片方を固定して開けようとすると持ち上げられる側（左右の他方側）が円弧状に動くため開け難くなり、０度だと可動部３を固定部２からそのまま上に力を加えると抜け易くなるので、角度θは１度〜２０度程度である。左側のヒンジ部４は、右側のヒンジ部５と対称に形成されている。
【００３５】
さらに、本実施形態では、下記の式１が成立するよう、第１ヒンジ部４と第２ヒンジ部５とが形成されている。
【００３６】
【数１】
0005445050.tif 000002
ここで、Ｗはガイド部４１１Ｃ、５１１Ｃの幅（図３）、Ｌ１は軸部材４２２，５２２の断面の寸法の内で可動部３が固定部２の口部２３を覆った状態（図１及び図２の状態）での移動方向Ｍに沿った寸法（図３）、Ｌ２は穴部４１１Ｂ、５１１Ｂの寸法の内で移動方向Ｍと軸部材４２２，５２２の長手方向とに直交する方向に沿った寸法である（図３）。このように、軸部材４２２，５２２は後述するように断面を雨滴型（或いはハート型、丸型に突起の付いたものなど）として形成され、穴部４１１Ｂ、５１１Ｂもその形状を雨滴型に形成されている。
【００３７】
本実施形態のキャップ１は以上のように構成されており、以下、キャップ１の動作について説明する。
【００３８】
図１に示すキャップ１では、第１ヒンジ部４と第２ヒンジ部５とにおける各第１係合部４１，５１と第２係合部４２，５２とが係合していることで、可動部３が固定部２の口部２３を覆う状態で固定部２に保持されている。本明細書では図１に示すキャップ１の状態を基本姿勢とする。
【００３９】
図１の基本姿勢のキャップ１において、可動部３の左側の端部を固定部２に対して上側へ押し上げると、左側のヒンジ部４を構成する第１係合部４１と第２係合部４２とが分離する。その後、可動部３の左側の端部をさらに上方へ押し上げると、可動部３は、図４に示すように、右側のヒンジ部５によって、つまり右側のヒンジ部５の軸部材５２２まわり（図中の矢印Ａ）に回動する。このように、第２ヒンジ部５は、第１ヒンジ部４の第１係合部４１と第２係合部４２とが分離した状態で、可動部３の第１ヒンジ部４側を持ち上げるよう固定部２に対して可動部３を回動させる。可動部３の回動によって、口部２３が露出される。これにより、ユーザーは、口部２３から容器１００内の液或いは粉などの内容物を容器外へ出すことができる。
【００４０】
図４に示す状態では、軸部材５２２は受け部５１１の穴部５１１Ｂからガイド部５１１Ｃを通って突片外へ抜け出ることを規制される。これは、軸部材５２２の断面が円形を基本形状としつつその周辺の一部をさらに外方へ突出させて、例えば雨滴型に形成されると共に、雨滴型における最長の寸法が前述したように、ガイド部５１１Ｃの幅Ｗよりも長い寸法Ｌ１に設定されていることに加え、可動部３を開いた状態（図４）で軸部材５２２が穴部５１１Ｂ内でガイド部５１１Ｃへ入り込まない向きになることに拠る。このような構成により、可動部３を固定部２に対して可動させても、可動部３は固定部２から容易に外れることはない。つまり、可動部３を開けるときに、支点となる側のヒンジ部５の外れを防止する。さらに完全に開封したときには軸部材５２２の向きが穴部５１１Ｂの形状に一致する。このとき、ユーザーは、軸部材５２２が穴部５１１Ｂの形状に合致するときのクリック感覚を得ることができる。このクリック感によって、その位置で開封作業を停止することをユーザーは容易に判断できる。このように軸部材５２２の向きが穴部５１１Ｂの形状に一致することで、可動部３の開封状態を維持することができ、再び可動部３を閉じるときには多少力を入れないと戻らない（Ｌ１≦Ｌ２）。なお、図３（図１）のキャップ１を閉じた状態では、軸部材５２２は、ガイド部５１１Ｃによる移動方向Ｄに雨滴型の断面形状の長手方向を沿わせていることで、図３の状態において可動部３の右側を押し上げるとヒンジ部５２２が受け部５１１から円滑に外れて、第２ヒンジ部５の第１係合部５１と第２係合部５２とが分離する。
【００４１】
図４に示す状態から開動作とは逆の動作を行い、左側のヒンジ部４の第１係合部と第２係合部とを再び係合させることで、当初の基本姿勢に戻すことができる。
【００４２】
ユーザーが、基本姿勢のキャップ１において可動部３の右側の端部を押し上げれば、右側の第２ヒンジ部５の第１係合部と第２係合部とが分離し、左側のヒンジ部４によって可動部３の第２ヒンジ部側を持ち上げることができる。
【００４３】
図６に示すように、固定部２に保持された実線で示す可動部３を点線で示す位置側へ固定部２から持ち上げるよう、ユーザーが、可動部３の左右の端部を図中の矢印Ｂ方向へ同時に力を加えたとしても、両側の受け部４１，５１のガイド溝４１１Ｃ，５１１Ｃの方向が鉛直方向から傾斜した角度θに沿って延びているため、二つの軸部材４２２，５２２をそのまま鉛直上方へ持ち上げることを、容易には行えないことに拠る。つまり、ガイド溝５１１Ｃは図３の方向Ｍであり、ガイド溝４１１Ｃは図３の方向Ｍを軸２５，３５を境界に対称とした方向（以下、Ｍ*：図２参照）であって、方向Ｍと方向Ｍ*とが非平行、本実施形態では交差する関係にあるため、二つの軸部材４２２，５２２を同時にそのまま鉛直上方へ持ち上げる動作を本実施形態では規制している。
【００４４】
本実施形態に係るキャップ１によれば、容器１００の向きに拘わらず、可動部３を固定部２に対して開閉することができる。また、キャップ１は小型の容器にも適用可能である。
［変形例］
図７は本発明の実施形態の変形例に係るキャップ１Ａの斜視図であり、図８はキャップ１Ａの分解斜視図である。キャップ１Ａは、前述のキャップ１と異なり、第１ヒンジ部４と第２ヒンジ部５とにおける第２係合部４２，５２が前述の支持部４２１，５２１を備えずに構成されている点で相違する。本実施形態では、第２係合部の軸部材４２２，５２２は、可動部３の筒状部３１の内周面から突出するように形成されている。具体的には、各第１ヒンジ部４と第２ヒンジ部５とにおいて、それぞれ２本の軸部材４２２，４２２（５２２，５２２）が同じ仮想線Ｌ１’（Ｌ２’）上に設けられている（図８参照）。このキャップ１Ａにおいても、前述のキャップ１と同様に、容器１００の前後の向きに拘わらず、可動部３を固定部２に対して開閉することができる。さらに、前述のキャップ１に比べて、キャップ１Ａは支持部４２１，５２１を省略することで、構造を簡素にできる。
【００４５】
以上詳述したが、本発明は発明の趣旨を逸脱しない範囲において様々な形態で実施をすることができる。
【００４６】
例えば、可動部と固定部とを構成する各筒状部は、断面を楕円に限らず、円、四角、六角形、その他の対象形状に加え、非対称形状でもよい。また、可動部と固定部との断面形状が異なってもよい。図中の寸法比率は一例である。説明中の数値に本発明は限定されるものではない。
【００４７】
ガイド部によって軸部材が移動する方向は、上記角度θに沿った方向に限らず、鉛直方向などでもよい。
【００４８】
支持部の形状や構造は図示例に限られるものではない。
【００４９】
本発明の固定部の口部は、注ぎ口，取り出し口，抽出口などとして機能するものであり、容器に収容される内容物は説明した例に限られるものではない。
【００５０】
本発明は、小型の容器に限らず、大きな開口を有する保冷箱などの大型の容器に適用できることは勿論である。
【００５１】
本発明を構成する固定部は、容器の開口部に対して螺着などの構造的結合に限らず、容器の開口部に接着や溶着などによって取り付けて配設されることに加えて、容器の開口部と一体に樹脂で構成されてもよい。
【００５２】
本発明のキャップを構成する、固定部、可動部、第１ヒンジ部、第２ヒンジ部はＰＥ（ポリエチレン），ＰＰ（ポリプロピレン），ＰＳ（ポリスチレン）などの樹脂によって構成されている。
【符号の説明】
【００５３】
１，１Ａ    キャップ
２          固定部
２１        固定部の筒状部
２２        固定部の天井部
２２Ａ      天井部を構成する中部
２２Ｂ，２２Ｃ  天井部を構成する傾斜部
２３        固定部に設けられた口部
２５        固定部の軸
３          可動部
３１        可動部の筒状部
３２        可動部の天井部
３３Ｂ，３３Ｃ  傾斜部
３４  突起部
３５        可動部の軸
４          第１ヒンジ部
４１        第１ヒンジ部の第１係合部
４１１      受け部
４２        第１ヒンジ部の第２係合部
４２１      支持部
４２２      軸部材
５          第２ヒンジ部
５１        第２ヒンジ部の第１係合部
５１１      受け部
５２        第２ヒンジ部の第２係合部
５２１      支持部
５２２      軸部材
Ｐ１，Ｐ２  仮想面
Ｌ１  軸部材の寸法
Ｌ２  穴部の寸法
Ｌ１’，Ｌ２’  仮想線
Ｗ  切り欠き部の幅
【図１】
0005445050.tif 000003
【図２】
0005445050.tif 000004
【図３】
0005445050.tif 000005
【図４】
0005445050.tif 000006
【図５】
0005445050.tif 000007
【図６】
0005445050.tif 000008
【図７】
0005445050.tif 000009
【図８】
0005445050.tif 000010